(57)【特許請求の範囲】
【請求項１】
円盤部及び前記円盤部から突出する突出部を有する部材をハウジングに取付ける部材取付構造であって、
前記ハウジングは、前記突出部を挟持する第一の保持片及び第二の保持片を有し、前記第一の保持片と前記第二の保持片とは高さが異なることを特徴とする部材取付構造。
【請求項２】
前記ハウジングは、前記円盤部を係止する弾性係止片を有することを特徴とする請求項１に記載の部材取付構造。
【請求項３】
前記ハウジングは、前記円盤部の側面に対向する円筒面を有することを特徴とする請求項１に記載の部材取付構造。
【発明の詳細な説明】
【技術分野】
【０００１】
本発明は、発音素子等の部材をハウジングに取付ける部材取付構造に関するものである。
【背景技術】
【０００２】
従来より、発音素子を備えた計器装置が種々提案されており、例えば特許文献１に開示されている。斯かる計器装置は、回路基板と、回路基板に搭載された発音素子と、回路基板を覆うカバー部材と、発音素子を覆うキャップと、を備えている。前記キャップは、カバー部材から着脱可能に設けられている。また、最近では、回路基板に発音素子を配置せずに、回路基板を覆うカバー部材に発音素子を配設する構造が提案されており、例えば特許文献２に開示されている。カバー部材には凹部が設けられており、この凹部に発音素子が圧入されている。
【先行技術文献】
【特許文献】
【０００３】
【特許文献１】特開２００４−２６４３５５号公報
【特許文献２】特開２０１０−４２７９７号公報
【発明の概要】
【発明が解決しようとする課題】
【０００４】
しかしながら、発音素子には、配線コードを引き出すための突出部が設けられており、この突出部を凹部に嵌め込む構造であるため、突出部の位置合わせが困難であり、組付け作業性が良好ではないという問題を有していた。
本発明は、この問題に鑑みなされたものであり、組付け作業性が優れた部材取付構造を提供するものである。
【課題を解決するための手段】
【０００５】
本発明は、請求項１に記載したように、円盤部１２及び前記円盤部１２から突出する突出部１３を有する部材１０をハウジング２０に取付ける部材取付構造であって、前記ハウジング２０は、前記突出部１３を挟持する第一の保持片２３及び第二の保持片２４を有し、前記第一の保持片２３と前記第二の保持片２４とは高さが異なるものである。
【０００６】
また、本発明は、請求項２に記載したように、前記ハウジング２０は、前記円盤部１２を係止する弾性係止片２２を有するものである。
【０００７】
また、本発明は、請求項３に記載したように、前記ハウジング２０は、前記円盤部１２の側面に対向する円筒面２１ａを有するものである。
【発明の効果】
【０００８】
部材を位置合わせしてから、突出部を保持片に挟持させることができ、部材の組付け作業性が良好になる。
【図面の簡単な説明】
【０００９】
【図１】本発明の実施形態を示す断面図。
【図２】同上実施形態を示す正面図。
【図３】同上実施形態を示す要部拡大図。
【図４】同上実施形態を示す要部断面図。
【図５】同上実施形態を示す要部断面図。
【図６】同上実施形態を示す要部断面図。
【図７】同上実施形態を示す作業説明図。
【図８】同上実施形態を示す作業説明図。
【図９】同上実施形態を示す作業説明図。
【図１０】同上実施形態を示す作業説明図。
【発明を実施するための形態】
【００１０】
以下、添付図面に基づいて、本発明を計器装置に適用した一実施形態を説明する。計器装置は、ケース体３０と、表示板４０と、指針５０と、回路基板６０と、を備えている。
【００１１】
ケース体３０は硬質の合成樹脂からなり、このケース体３０の後側に回路基板６０が固定されている。表示板４０は、ケース体３０の前側に配設されており、指針５０の指示対象である指標部４１を有している。また、表示板４０の中央には、指針５０のボス部５１が回転可能に挿入される指針挿入孔４０ａが形成されている。
【００１２】
指針５０は、各種の合成樹脂によって形成され、表示板４０の指標部４１を指示する。回路基板６０は、基板本体６１と、基板本体６１の後面側に実装された指針駆動部６２と、基板本体６１の表面側に実装された光源６４，６５と、を備えている。
【００１３】
基板本体６１は、平板状のガラスエポキシ系基材に、指針駆動部６２を駆動させる駆動回路、光源６４，２５を発光させる発光回路等を形成した硬質プリント配線板からなる。駆動回路及び発光回路は、夫々、配線パターン，抵抗，コンデンサ等によって構成される。駆動回路は、制御部から供給される制御信号に基づいて、指針駆動部６２を駆動する。発光回路は、制御部から供給される制御信号に基づいて、光源６４，６５を発光させる。
【００１４】
指針駆動部６２は、可動磁石式駆動装置，ステッピングモータ等からなるものである。指針駆動部６２の回動軸６２ａは、基板本体６１に形成された貫通孔２１ａに挿入され、指針駆動部６２の回動軸６２ａには、指針５０が取り付けられる。指針５０のボス部５１は、表示板４０に形成された指針挿入孔４０ａに挿入されている。
【００１５】
基板本体６１の駆動回路は、制御部から供給される制御信号に基づいて、指針駆動部６２を駆動して、制御信号に応じた回転角度で回動軸６２ａを回転させる。回動軸６２ａの回転に応じて指針５０も回転する。これによって、指針５０は、車両速度に応じた所定の回転角度で回転し、表示板４０の指標部４１を指示する。
【００１６】
光源６４，６５は、夫々、１個以上の発光ダイオード等によって構成される。光源６４は、表示板４０の指標部４１を透過照明し、光源６５は、指針５０を光輝させる。このような照明によって指標部４１及び指針５０は明るくなるので、ユーザは暗所であっても指標部４１及び指針５０を視認できる。
【００１７】
回路基板６０の後面側は、図示しない弾性係止片にてケース体３０に係止されたカバー部材２０にて保護される。カバー部材２０は、不透明な樹脂からなるものであり、発音体１０を収容する凹部２１を有している。
【００１８】
発音体１０は２本の配線コード１１を有している。発音体１０の本体は、円盤部１２と、この円盤部１２から突出した突出部１３を有している。発音体１０の円盤部１２は円形の薄板状になっており、円盤部１２の側面は円筒面１２ａになっている。
【００１９】
発音体１０の突出部１３は、所定幅Ｗを有する略矩形になっており、円盤部１２から半径方向に突出している。配線コード１１は、一端が突出部１３に電気的に接続されており、他端は回路基板６０のコネクタ部６７に電気的に接続されている。
【００２０】
カバー部材２０の凹部２１には、弾性係止片２２と、一対の保持片２３，２４とが形成されている。弾性係止片２２は、発音体１０の円盤部１２を係止する係止爪２２ａを有している。
【００２１】
保持片２３，２４は、発音体１０の突出部１３と同じ所定幅Ｗを有するように離間して配置されている。保持片２３は所定高さＨ１を有し、保持片２４は所定高さＨ２を有しており、保持片２４は保持片２３よりも高くなっている。
【００２２】
カバー部材２０の凹部２１は、発音体１０の円筒面１２ａに対向する円筒面２１ａを有する窪み部２１ｂと、弾性係止片２２が形成される窪み部２１ｃと、一対の保持片２３，２４が形成される窪み部２１ｄと、を有している。窪み部２１ｃには、弾性係止片２２が弾性変形可能なように、隙間が設けられている。発音体１０は、両面粘着テープ（図示しない）によって、カバー部材２０の凹部２１に貼着されている。
【００２３】
次に、図７乃至図１０に基づいて、発音素子１０の組付け作業について詳述する。
【００２４】
先ず、図７及び図８に示すように、発音素子１０の円盤部１２を弾性係止片２２に押し当てながら、発音素子１０の突出部１３を保持片２３の上端に載置する。このとき、発音素子１０の円筒面１２ａの一部は、カバー部材２０の円筒面２１ａに対向している。
【００２５】
次に、図９に示すように、突出部１３が保持片２４の側面に当接するまで発音素子１０を回転させる。そして、図１０に示すように、発音素子１０の突出部１３が保持片２３，２４に挟持されるように、突出部１３を押し込む。
【００２６】
本実施形態によれば、発音素子１０を位置合わせしてから、突出部１３を保持片２３，２４に挟持させることができ、発音素子１０の組付け作業性が良好になる。
【符号の説明】
【００２７】
１０    発音素子（部材）
１２    円盤部
１３    突出部
２０    カバー部材（ハウジング）
２１ａ  円筒面
２２    弾性係止片
２３    保持片（第一の保持片）
２４    保持片（第二の保持片）
【図１】
0005757424.tif 000002
【図２】
0005757424.tif 000003
【図３】
0005757424.tif 000004
【図４】
0005757424.tif 000005
【図５】
0005757424.tif 000006
【図６】
0005757424.tif 000007
【図７】
0005757424.tif 000008
【図８】
0005757424.tif 000009
【図９】
0005757424.tif 000010
【図１０】
0005757424.tif 000011